(57)【要約】【課題】病人、老人、障害者、健常者などが椅子に座った場合に、座面上の両脇下側となる左右の体幹側部を保持して、椅子に座った者の体幹が椅子内で傾いたり、捻れたり、前屈みになったりするのを防ぎ、またこれらに起因して前方に傾いて椅子から落ちるのを防ぐと共に、姿勢が悪くなるのを防ぎ、一定時間快適に椅子に座ることにある。【解決手段】左右の体幹側部ａを保持する体幹保持盤６を左右の肘掛け４の内側の座面上方の左右両側にそれぞれ設置すると共に、体幹側部ａと当接する左右の体幹保持盤６の内面側６ａを平面視において内側に向けて凹曲状に形成し、左右の体幹保持盤６の後端側を背もたれ５の左右両端側に外側の肘掛け４に向けて付勢した状態で内側の体幹側部ａに向けて回動自在に連結し、体幹保持解除位置と体幹保持位置との間で左右の体幹保持盤６を内側の体幹側部ａに向けて押圧回動させ且つ体幹保持位置でロックする体幹保持盤作動機構７を左右の肘掛け４にそれぞれ設けた。【選択図】        図３
2004275579.tif 000002
【特許請求の範囲】
【請求項１】
椅子に座った者の両脇下側となる左右の体幹側部を保持する体幹保持盤を座面上方の左右両側にそれぞれ設置すると共に、体幹側部と当接する左右の体幹保持盤の内面側を平面視において内側に向けて凹曲状に形成し、左右の体幹保持盤を体幹保持解除位置と体幹保持位置との間で移動自在及び体幹保持位置でロック自在に椅子に設けたことを特徴とする体幹保持機能付き椅子。
【請求項２】
肘掛けを備えた椅子に座った者の両脇下側となる左右の体幹側部を保持する体幹保持盤を左右の肘掛けの内側の座面上方の左右両側にそれぞれ設置すると共に、体幹側部と当接する左右の体幹保持盤の内面側を平面視において内側に向けて凹曲状に形成し、左右の体幹保持盤の後端側を背もたれの左右両端側に外側の肘掛けに向けて付勢した状態で内側の体幹側部に向けて回動自在に連結し、体幹保持解除位置と体幹保持位置との間で左右の体幹保持盤を内側の体幹側部に向けて押圧回動させ且つ体幹保持位置でロックする体幹保持盤作動機構を左右の肘掛けにそれぞれ設けたことを特徴とする体幹保持機能付き椅子。
【請求項３】
肘掛けを備えた椅子に座った者の両脇下側となる左右の体幹側部を保持する体幹保持盤を左右の肘掛けの内側の座面上方の左右両側にそれぞれ設置すると共に、体幹側部と当接する左右の体幹保持盤の内面側を平面視において内側に向けて凹曲状に形成し、左右の体幹保持盤の後端側を背もたれの左右両端側に内側の体幹側部に向けて回動自在に連結し、体幹保持解除位置と体幹保持位置との間で左右の体幹保持盤を回動させ且つ体幹保持位置でロックする体幹保持盤作動機構を左右の肘掛けにそれぞれ設けたことを特徴とする体幹保持機能付き椅子。
【請求項４】
肘掛けを備えた椅子に座った者の両脇下側となる左右の体幹側部を保持する体幹保持盤を左右の肘掛けの内側の座面上方の左右両側にそれぞれ設置すると共に、体幹側部と当接する左右の体幹保持盤の内面側を平面視において内側に向けて凹曲状に形成し、左右の体幹保持盤を左右の肘掛けにそれぞれ連結し、体幹保持盤が各々連結された左右の肘掛けを体幹保持解除位置と体幹保持位置との間で回動自在及び体幹保持位置でロック自在に椅子に設けたことを特徴とする体幹保持機能付き椅子。
【発明の詳細な説明】
【０００１】
【発明の属する技術分野】
この発明は、病人、老人、障害者、健常者などが椅子に座った場合に、座面上の両脇下側となる左右の体幹側部を保持して、椅子に座った者の体幹が椅子内で傾いたり、捻れたり、前屈みになったりするのを防ぎ、またこれらに起因して前方に傾いて椅子から落ちるのを防ぐと共に、姿勢が悪くなるのを防ぎ、一定時間快適に椅子に座ることのできる体幹保持機能付き椅子に関するものである。
【０００２】
【従来の技術】
病人、老人、障害者などが椅子に座った場合、座面上の体幹を支えることができず、椅子に座った者はその体幹が椅子内で傾いたり捻れたりし、又傾き捻れて前方に倒れて椅子から落ちることもあり、これを回避するために、体幹が傾く側の体幹と椅子との間にクッション材、毛布、枕などの充填材を挟み込んでおり、さらに、これでは不十分な場合には、紐などを使って座った者の体幹を椅子に縛り付けている。また、健常者などが椅子に長時間座って、勉強、仕事、テレビゲーム、パソコンやＯＡ機器の操作などをする場合にあっては、楽な姿勢を求めて体幹を適宜傾けたり前屈みなどになりながら各種の作業や操作を続けている。
【０００３】
【発明が解決しようとする課題】
しかしながら、体幹が傾く側の体幹と椅子との間にクッション材、毛布、枕などの充填材を挟み込んでいる場合には時間の経過と共にこれらがずれて、体幹が椅子内で徐々に傾いたり捻れたりし、又充填材が椅子から外れ、これに起因して前方に倒れて椅子から落ちることもある。また、紐などを使って椅子に縛り付けておく場合には紐の一部が体に食い込んだりして痛みが伴い、何れにしても、椅子に座る一定時間、快適に椅子に座り続けることが困難であった。
また、健常者などが椅子に長時間座って、勉強、仕事、テレビゲーム、パソコンやＯＡ機器の操作などをする場合にあっても、同様に快適に椅子に長時間座り続けることが困難で、楽な姿勢を求めて体幹を傾けたり捻れたり前屈みなどの悪い癖が付き、その結果次第に姿勢が悪くなり、これに起因して肩こり、腰痛、筋肉痛、背骨の痛み、眼精疲労などを引き起こすという問題があった。
【０００４】
この発明は、上記のような課題に鑑み、その課題を解決すべく創案されたものであって、その目的とするところは、病人、老人、障害者、健常者などが椅子に座った場合に、座面上の両脇下側となる左右の体幹側部を保持して、椅子に座った者の体幹が椅子内で傾いたり、捻れたり、前屈みになったりするのを防ぎ、またこれらに起因して前方に傾いて椅子から落ちるのを防ぐと共に、姿勢が悪くなるのを防ぎ、一定時間快適に椅子に座ることのできる体幹保持機能付き椅子を提供することにある。
【０００５】
【課題を解決するための手段】
以上の目的を達成するために、請求項１の発明は、椅子に座った者の両脇下側となる左右の体幹側部を保持する体幹保持盤を座面上方の左右両側にそれぞれ設置すると共に、体幹側部と当接する左右の体幹保持盤の内面側を平面視において内側に向けて凹曲状に形成し、左右の体幹保持盤を体幹保持解除位置と体幹保持位置との間で移動自在及び体幹保持位置でロック自在に椅子に設けた手段よりなるものである。
【０００６】
また、請求項２の発明は、肘掛けを備えた椅子に座った者の両脇下側となる左右の体幹側部を保持する体幹保持盤を左右の肘掛けの内側の座面上方の左右両側にそれぞれ設置すると共に、体幹側部と当接する左右の体幹保持盤の内面側を平面視において内側に向けて凹曲状に形成し、左右の体幹保持盤の後端側を背もたれの左右両端側に外側の肘掛けに向けて付勢した状態で内側の体幹側部に向けて回動自在に連結し、体幹保持解除位置と体幹保持位置との間で左右の体幹保持盤を内側の体幹側部に向けて押圧回動させ且つ体幹保持位置でロックする体幹保持盤作動機構を左右の肘掛けにそれぞれ設けた手段よりなるものである。
【０００７】
また、請求項３の発明は、肘掛けを備えた椅子に座った者の両脇下側となる左右の体幹側部を保持する体幹保持盤を左右の肘掛けの内側の座面上方の左右両側にそれぞれ設置すると共に、体幹側部と当接する左右の体幹保持盤の内面側を平面視において内側に向けて凹曲状に形成し、左右の体幹保持盤の後端側を背もたれの左右両端側に内側の体幹側部に向けて回動自在に連結し、体幹保持解除位置と体幹保持位置との間で左右の体幹保持盤を回動させ且つ体幹保持位置でロックする体幹保持盤作動機構を左右の肘掛けにそれぞれ設けた手段よりなるものである。
【０００８】
また、請求項４の発明は、肘掛けを備えた椅子に座った者の両脇下側となる左右の体幹側部を保持する体幹保持盤を左右の肘掛けの内側の座面上方の左右両側にそれぞれ設置すると共に、体幹側部と当接する左右の体幹保持盤の内面側を平面視において内側に向けて凹曲状に形成し、左右の体幹保持盤を左右の肘掛けにそれぞれ連結し、体幹保持盤が各々連結された左右の肘掛けを体幹保持解除位置と体幹保持位置との間で回動自在及び体幹保持位置でロック自在に椅子に設けた手段よりなるものである。
【０００９】
【発明の実施の形態】
以下、図面に記載の発明の実施の形態に基づいて、この発明をより具体的に説明する。
【００１０】
〔実施の形態−１〕
ここで、図１は体幹保持機能付き椅子の正面図、図２は体幹保持機能付き椅子の側面図、図３は体幹保持機能付き椅子の平面図、図４は体幹保持機能付き椅子の背面図、図５は体幹保持盤と背もたれとの連結部分の部分拡大図、図６は体幹保持盤作動機構の底面図、図７は体幹保持盤作動機構の正面図、図８は体幹保持盤作動機構の正面図である。
【００１１】
図１〜図４において、体幹保持機能付き椅子１は、左右前後の四本の脚２、脚２で支持される座面３、座面３の上方の左右両側に配置された左右の肘掛け４、座面３の後端部に配置された背もたれ５、及び左右の肘掛け４の内側の座面３の上方の左右両側に設置された左右の体幹保持盤６、体幹保持解除位置と体幹保持位置との間で左右の体幹保持盤６を内側の体幹側部ａに向けて押圧回動させ且つ体幹保持位置でロックする体幹保持盤作動機構７などから構成されている。
【００１２】
体幹保持機能付き椅子１は、病人、老人、障害者、健常者などが椅子に座った場合に、座面上の両脇下側となる左右の体幹側部ａを保持して、椅子に座った者の体幹が椅子内で傾いたり、捻れたり、前屈みになったりするのを防ぎ、またこれらに起因して前方に傾いて椅子から落ちるのを防ぐと共に、姿勢が悪くなるのを防ぎ、一定時間快適に椅子に座ることのできる特徴を備えている。
【００１３】
四本の脚２は左右前後に所定の間隔をあけて配置され、又四本の脚２はその中間高さ位置で、前部側の左右の脚２が水平な前部脚連結桁２ａにより連結され、後部側の左右の脚２が水平な後部脚連結桁２ｂにより連結され、左側及び右側の前後の脚２が水平な側部脚連結桁２ｃによりそれぞれ連結されている。また、前部脚連結桁２ａと後部脚連結桁２ｂとの間には、座面３を支持するための複数の補助桁が前後方向に配置されている。
【００１４】
後部側の左右の脚２はその上部が水平な上部脚連結２ｄにより連結されている。上部脚連結２ｄは背もたれ５の後部側を支持するもので、後部脚連結桁２ｂと上下で平行になっている。背もたれ５は上部脚連結２ｄにネジなどにより固定されている。
【００１５】
四本の脚２は上下にスライド伸縮する構造になっており、このため、各脚２にはその下部外側面にスライド脚２ｅが上下スライド自在に取り付けられている。各脚２の下部外側面にはスライド溝が上下方向に形成され、脚２の下部外側面と当接するスライド脚２ｅの内側面にはスライド溝内に係合するスライド凸片が上下方向に形成されている。
【００１６】
各脚２の下部には内側面から外側面に向けて水平な高さ調節用孔がそれぞれ形成され、各脚２の高さ調節用孔には高さを調節する調節撮み２ｆの調節ネジがそれぞれ挿通されており、各調節撮み２ｆの調節ネジの先端側はスライド脚２ｅのスライド凸片の表面に上下方向に等間隔で複数形成されたネジ孔の何れかのネジ孔に螺合して、スライド脚２ｅを所定の高さで各脚２に固定する構造になっている。
【００１７】
座面３は、上記前部脚連結桁２ａ、後部脚連結桁２ｂ、左右の側部脚連結桁２ｃ及び前部脚連結桁２ａと後部脚連結桁２ｂとの間に配置された補助桁によって形成される平面上に配置される。座面３の前端側は左右方向に略直線状に形成され、座面３の後端側は後方に向けて凸曲線状に形成されている。座面３は硬板の上にクッション材を取り付けた構造から構成され、硬板には一部に孔が形成されていて、座面３に座った者はその臀部の一部がクッション材を介してこの孔に係止されることによって、所謂床ずれが防がれている。
【００１８】
肘掛け４は、座面３の上方の左右両側に配置されている。即ち、左側の肘掛け４は左側の前後に配置された脚２の上端間に前後方向に水平に配置され、右側の肘掛け４は右側の前後に配置された脚２の上端間に前後方向に水平に配置されている。左右の肘掛け４の前端側は丸みを帯びて前部側の脚２より少し前方に張り出しおり、左右の肘掛け４の後部側は内側に向けて曲線状に形成され後端側は丸みを帯びて後部側の脚２より少し後方に張り出している。また、左右の肘掛け４の内側面は平面視において凹曲状に形成されていて、左右の肘掛け４の内側に設置される左右の体幹保持盤６の外に向けて凸曲状に形成された外面側６ｂの形状に対応するようになっている。
【００１９】
背もたれ５は、座面３の後端側から後方に向けて傾斜して配置され、前記したように上部脚連結２ｄにネジなどにより固定されている。背もたれ５は平面視において前方に向けて凹曲状に形成され、座面３は座った者の背中と当接する硬板の前面側にクッション材を取り付けた構造から構成されている。
【００２０】
体幹保持盤６は、椅子に座った者の両脇下側となる左右の体幹側部ａを保持して、椅子に座った者の体幹が椅子内で傾いたり、捻れたり、前屈みになったりするのを防ぎ、またこれらに起因して前方に傾いて椅子から落ちるのを防ぐと共に、姿勢が悪くなるのを防ぎ、一定時間快適に椅子に座らせる機能を果たすもので、左右の肘掛け４の内側の座面３の上方の左右両側に設置されている。
【００２１】
左右の体幹保持盤６は、体幹側部ａと当接する内面側６ａが平面視において内側に向けて凹曲状に形成されていて、丸みを帯びた左右の体幹側部ａの形状に対応して外側から包むように挟んで保持できる構造になっている。また、左右の体幹保持盤６は内面側６ａが内側に向けて凹曲状に形成されていることによって、体幹が左右に傾いたり捻れたりするのを防ぐことができるのは勿論、体幹が前屈みになるのを防ぐことも可能となる。
【００２２】
左右の体幹保持盤６は、硬板と、硬板の内面側に配置されたクッション材から構成されている。硬板によって体幹保持盤６が体幹からの荷重によって変形するのが防がれる。また、クッション材は体幹側部ａと当接する内面側６ａに位置していて、左右の体幹保持盤６の内面側６ａが柔軟な弾力をもって体幹側部ａを保持できるようになっている。
【００２３】
左右の体幹保持盤６は脇の下側を例えば高さ２５ｃｍ〜３０ｃｍの範囲で保持できるように、左右の体幹保持盤６の高さは例えば高さ２５ｃｍ〜３０ｃｍ程度になっている。また、左右の体幹保持盤６の上辺は、脇の下に対応する個所が下向きに凹曲状に窪んでいて、脇の下が体幹保持盤６の上辺に当たるのが回避されている。
【００２４】
左右の体幹保持盤６の後端側は背もたれ５の左右両端側に蝶番６ｃによって内側に向けて回動自在に連結されている。蝶番６ｃはそれぞれ片側に上下に２個取り付けられている。
【００２５】
蝶番６ｃによって背もたれ５の左右両端側に回動自在に連結された左右の体幹保持盤６は、それぞれ外側に向けてつまり肘掛け４側に向けて常時付勢されていて、解除状態では左右の体幹保持盤６はその付勢力によって外側に回動して左右の肘掛け４に当接している。
【００２６】
左右の体幹保持盤６の外側への回動の付勢力は、左右の体幹保持盤６の後端側を背もたれ５の左右両端側に蝶番６ｃを介して取り付ける際に、解除時の開き角度より少し外側に開いた角度の状態で、左右の体幹保持盤６の後端側と背もたれ５の左右両端側を密着して取り付けることにより生じさせることができる。左右の体幹保持盤６を内側に向けて回動すると、体幹保持盤６及び背もたれ５の密着部分の両クッション材は圧縮され、圧縮された密着部分のクッション材によって弾性復元力が生じて、外側への付勢力を発生させることができる。これ以外に、例えば付勢用のバネを蝶番６ｃに取り付けたり、或いは付勢用のバネを備えた蝶番６ｃを使用することでも対応可能である。
【００２７】
体幹保持盤作動機構７は、体幹保持解除位置と体幹保持位置との間で左右の体幹保持盤６を内側の体幹側部ａに向けて押圧回動させ且つ体幹保持位置でロックする機構で、左右の肘掛け４の下面に左右の体幹保持盤６の外面側６ｂに向けて取り付けられ、取付盤７ａ、スライド押圧杆７ｇ、操作レバー７ｉ、リンク７ｋなどから主に構成されている。
【００２８】
取付盤７ａは、左右の肘掛け４の中央下面に直に下向きに固定して体幹保持盤６の外面側６ｂに向けて取り付けられ、体幹保持盤６の外面側６ｂに向かってその前部側が下向きに９０度折曲された断面Ｌ字型の形状をしている。取付盤７ａの下向きに折曲された前部側には体幹保持盤６に向けて貫通孔７ｂが形成されている。
【００２９】
取付盤７ａの前部側の体幹保持盤６に面する前面には、内部に貫通孔７ｂと連通する貫通孔７ｃを有する調整盤７ｄが取り付けられている。また、取付盤７ａの前部側の後面には躯体型のガイド盤７ｅが一体的に固設され、ガイド盤７ｅには上記体幹保持盤６に向けて上記貫通孔７ｂに連通するガイド孔７ｆが貫通形成されている。
【００３０】
スライド押圧杆７ｇは、体幹保持盤６の外面側６ｂを直接押圧して体幹保持盤６を体幹側部ａに向けて押圧移動させるもので、体幹保持盤６に対して前進及び後退移動に、上記貫通孔７ｂ、７ｃ及びガイド孔７ｆを貫通してスライド自在に取り付けられている。スライド押圧杆７ｇは体幹保持盤６とは非連結で、押圧接触によって体幹保持盤６を体幹側部ａに向けて移動させるが、体幹保持盤６が元の状態に復帰するのは前記した体幹保持盤６に作用する付勢力によって行われ、体幹保持盤６の復帰にはスライド押圧杆７ｇは付与しない。
【００３１】
スライド押圧杆７ｇの前端には体幹保持盤６の外面側６ｂに当接する円柱型の押圧片７ｈが前後方向に移動自在に螺合されていて、この押圧片７ｈを一方向に回すと体幹保持盤６側に前進移動し、押圧片７ｈを反対方向に回すと体幹保持盤６側から後退移動するようになっている。押圧片７ｈを調節することによって、体幹保持盤６に対するスライド押圧杆７ｇの前端の突出量を調整でき、スライド押圧杆７ｇの押圧片７ｈの突出量が大きい場合には、体幹保持盤６を内側に向けてより大きく移動させることができる。
【００３２】
操作レバー７ｉはスライド押圧杆７ｇを前後に移動させるための操作杆で、操作レバー７ｉの先端には間をあけて上下に一対のＬ字型の作動リンク７ｊがそれぞれ取り付けられている。上側の作動リンク７ｊのＬ字型に曲がった先端側は上記スライド押圧杆７ｇの後端側の側面の上面に垂直軸回りに正逆回転自在に軸支され、又下側の作動リンク７ｊのＬ字型に曲がった先端側は上記スライド押圧杆７ｇの後端側の側面の下面に垂直軸回りに正逆回転自在に軸支されている。このように、Ｌ字型に曲がった上下の作動リンク７ｊの先端側は上下で挟んで状態で上記スライド押圧杆７ｇの後端側に枢結されている。
【００３３】
スライド押圧杆７ｇを挟んでその上下には一対のリンク７ｋが平行に取り付けられている。上下のリンク７ｋは側板７ｍによって一体的に結合されている。上下のリンク７ｋの一端側は躯体型のガイド盤７ｅの上面及び下面に垂直軸回りに正逆回転自在に軸支され、上下のリンク７ｋの他端側は上下の作動リンク７ｊのＬ字型に曲がった部分に正逆回転自在に軸支されている。
【００３４】
操作レバー７ｉを操作してスライド押圧杆７ｇを体幹保持盤６に対して進退動させる場合、上下のリンク７ｋは一端側を支点として他端側が所定の角度の範囲で往復回動することで、操作レバー７ｉの作動リンク７ｊは往復回動するリンク７ｋの他端側を基点として相対的に回動して、スライド押圧杆７ｇの後端側と枢結する作動リンク７ｊの先端側がスライド押圧杆７ｇを体幹保持盤６に向けて前進及び後退させる機構になっている。
【００３５】
操作レバー７ｉは、リンク７ｋの他端側を基点として１８０度の角度の範囲で正逆回転する構造になっており、図６において実線位置が体幹保持盤６の体幹保持解除位置であり、これから１８０度回転した仮想線位置が体幹保持盤６の体幹保持位置となり、体幹保持位置で体幹保持盤６をロックする。体幹保持解除位置から体幹保持位置までの回転範囲が操作レバー７ｉによる体幹保持盤６の押圧回動範囲となる。
【００３６】
なお、前記実施の形態の説明においては、スライド押圧杆７ｇの前端が体幹保持盤６の外面側６ｂと非連結の構造の場合について説明したが、図８のように、スライド押圧杆７ｇの前端の押圧片７ｈが体幹保持盤６の外面側６ｂに突設された連結具６ｄによって連結される構造でもよい。連結具６ｄによりスライド押圧杆７ｇの前端の押圧体７ｄと体幹保持盤６の外面側６ｂが連結されている場合には、スライド押圧杆７ｇが後退すると連結具６ｄを通じて体幹保持盤６も一体となってスライド押圧杆７ｇの後退方向つまり外側に向けて開く方向に回動するので、体幹保持盤６を常時外側の開く方向に付勢力を作用させる必要がなく、このため、前記の〔００２５〕〔００２６〕などで説明した構造を省略することができる。
【００３７】
次に、上記発明の実施の形態の構成に基づく体幹保持機能付き椅子の動作について以下説明する。
病人、老人、障害者、健常者などが体幹保持機能付き椅子１に座った後、左右の肘掛け４の下面側に取り付けられた体幹保持盤作動機構７の操作レバー７ｉを手で掴んで、図６において実線位置から仮想線位置まで１８０度回転させる。なお、健常者は自分の手で操作できるが、病人、老人、障害者、子供など自分の力では無理な場合には介添え者や保護者などが操作する。
【００３８】
操作レバー７ｉを操作して回転させると、操作レバー７ｉはＬ字型の作動リンク７ｊの折曲部のリンク７ｋ他端側との枢結箇所を中心として、相対的に１８０度回転する。リンク７ｋ他端側との枢結箇所は当初スライド押圧杆７ｇ上に位置しているが操作レバー７ｉの回転に連動して、リンク７ｋ一端側を中心として操作レバー７ｉの回転方向と逆向きに回転してスライド押圧杆７ｇ上から離れる。
【００３９】
当初は、リンク７ｋの両端側の枢結箇所及び操作レバー７ｉの作動リンク７ｊの先端側のスライド押圧杆７ｇとの枢結箇所は、スライド押圧杆７ｇ上にあって一直線状に位置しているが、操作レバー７ｉの回転によって、中間に位置するリンク７ｋ他端側の枢結箇所がスライド押圧杆７ｇ上から離れることによって、スライド押圧杆７ｇの後端側と枢結する操作レバー７ｉの作動リンク７ｊの先端側がスライド押圧杆７ｇを前方の体幹保持盤６の外面側６ｂに向けて移動させる。操作レバー７ｉは仮想線位置まで回転する間、スライド押圧杆７ｇを体幹保持盤６に向けて移動させる。
【００４０】
操作レバー７ｉの回転に連動してスライド押圧杆７ｇ上から徐々に離れていっていたリンク７ｋ他端側の作動リンク７ｊとの枢結箇所は、操作レバー７ｉの回転角度が９０度を過ぎると、逆にスライド押圧杆７ｇに向かって徐々に接近していき、操作レバー７ｉが仮想線位置に到達すると、スライド押圧杆７ｇ上に位置する。
【００４１】
リンク７ｋ他端側が一端側を中心として往復回動する間、作動リンク７ｊの先端側は往復回動するリンク７ｋ他端側の枢結箇所を中心として相対的に１８０度回転するが、リンク７ｋ他端側の枢結箇所が往復回動するために、作動リンク７ｊの先端側の回転移動は直線移動に変換されて、スライド押圧杆７ｇを前方の体幹保持盤６に向けて直線移動させることになる。
【００４２】
操作レバー７ｉの回転操作によって体幹保持盤６に向けて移動させられたスライド押圧杆７ｇは、その前端の押圧片７ｈが体幹保持盤６の外面側６ｂに当接してこれを前方の体幹保持盤６の内側に向けて押圧する。押圧片７ｈが当接する体幹保持盤６の外面側６ｂの表面には滑り易いように摩擦抵抗の小さな面シールが貼られている。
【００４３】
スライド押圧杆７ｇの前端の押圧片７ｈによる押圧によって、体幹保持盤６は背もたれ５との連結の蝶番６ｃを中心として、内側に座っている者の脇下側の体幹側部ａに向けて回動する。そして、操作レバー７ｉが仮想線位置に回転移動して到達すると、体幹保持盤６はその内面側６ａが体幹側部ａに接触する体幹保持位置に到達する。
【００４４】
操作レバー７ｉが仮想線位置に到達したとき、リンク７ｋの両端側の枢結箇所及び操作レバー７ｉの作動リンク７ｊの先端側のスライド押圧杆７ｇとの枢結箇所は、スライド押圧杆７ｇ上にあって一直線状に位置するため、体幹保持盤６からのスライド押圧杆７ｇに作用する反力によっては、操作レバー７ｉを元の状態に向けて回転させる回転モーメントが起きず、これによって、体幹保持盤作動機構７はロックされた状態になる。
【００４５】
このようにして、体幹保持機能付き椅子１に座った者は、背中側が背もたれ５によって保持され、左右の体幹側部ａが左右の体幹保持盤６によって保持されることになる。左右の体幹側部ａを保持する体幹保持盤６は体幹保持位置で体幹保持盤作動機構７がロックされることで同様にロックされる。
【００４６】
これにより、体幹保持機能付き椅子１に座った者は、体幹が椅子内で傾いたり、捻れたり、前屈みになったりするのが防がれる。つまり、病人、老人、障害者のように自分の姿勢を維持出来ない者は、背もたれ５と左右の体幹保持盤６によって体幹が保持されるため、一定時間快適に椅子に座ることが可能となる。
【００４７】
また、健常者にあっても、背もたれ５と左右の体幹保持盤６によって体幹が保持されるため、姿勢が悪くなるのが防がれ、又体幹が保持されているために体幹を支えることによる疲労がなく、体幹保持機能付き椅子１に座って長時間の作業も可能となるなど、一定時間快適に椅子に座ることができる。
【００４８】
左右の体幹保持盤６による体幹保持位置を解除して元に戻す場合には、仮想線位置の操作レバー７ｉを逆向きに回転させて実線位置に戻す。操作レバー７ｉを逆向きに回転させると、前記の動作と逆の動作により、スライド押圧杆７ｇは体幹保持盤６の外面側６ｂから離れる方向に後退する。スライド押圧杆７ｇの前端の押圧片７ｈからの押圧がなくなると、これに連動して左右の体幹保持盤６はこれを開く方向に向けて作用する付勢力によって蝶番６ｃを中心に左右の肘掛け４側に向けて回動して左右に開いて、体幹保持解除位置に戻り、この体幹保持機能付き椅子１に座っていた者はこの椅子から離れることができる。
【００４９】
なお、スライド押圧杆７ｇの前端の押圧片７ｈが連結具６ｄによって体幹保持盤６の外面側６ｂに連結されている場合には、スライド押圧杆７ｇの前端の押圧片７ｈが後退すると、後退する押圧片７ｈに牽引されて体幹保持盤６はスライド押圧杆７ｇの後退側に向けて蝶番６ｃを中心に左右の肘掛け４側に向けて回動して左右に開いて、体幹保持解除位置に戻る。
【００５０】
〔実施の形態−２〕
ここで、図９は体幹保持機能付き椅子の正面図、図１０は体幹保持機能付き椅子の側面図、図１１は体幹保持機能付き椅子の平面図、図１２は体幹保持機能付き椅子の背面図、図１３は体幹保持盤作動機構の底断面図である。
【００５１】
図９〜図１２において、体幹保持機能付き椅子１１は、左右前後の四本の脚１２、脚１２で支持される座面１３、座面１３の上方の左右両側に配置された左右の肘掛け１４、座面１３の後端部に配置された背もたれ１５、左右の肘掛け１４にそれぞれ連結された左右の体幹保持盤１６、体幹保持盤１６が各々連結された左右の肘掛け１４を体幹保持解除位置と体幹保持位置でロックする体幹保持盤作動機構１７などから構成されている。
【００５２】
体幹保持機能付き椅子１１は、病人、老人、障害者、健常者などが椅子に座った場合に、座面上の両脇下側となる左右の体幹側部ａを保持して、椅子に座った者の体幹が椅子内で傾いたり、捻れたり、前屈みになったりするのを防ぎ、またこれらに起因して前方に傾いて椅子から落ちるのを防ぐと共に、姿勢が悪くなるのを防ぎ、一定時間快適に椅子に座ることのできる特徴を備えている。
【００５３】
四本の脚１２は左右前後に所定の間隔をあけて配置され、後部側の左右の脚１２より高さが低い前部側の左右の脚１２は上部高さ位置で水平な前部脚連結桁１１２ａにより連結され、後部側の左右の脚１２はその中間高さ位置で水平な後部脚連結桁１２ｂにより連結され、左側及び右側の前後の脚１２が水平な側部脚連結桁１２ｃによりそれぞれ連結されている。また、前部脚連結桁１２ａと後部脚連結桁１２ｂとの間には、座面１３を支持するための複数の補助桁が前後方向に配置されている。
【００５４】
後部側の左右の脚１２はその上部が水平な上部脚連結１２ｄにより連結されている。上部脚連結１２ｄは背もたれ１５の後部側を支持するもので、後部脚連結桁１２ｂと上下で平行になっている。背もたれ１５は上部脚連結１２ｄにネジなどにより固定されている。
【００５５】
座面１３は、上記前部脚連結桁１２ａ、後部脚連結桁１２ｂ、左右の側部脚連結桁１２ｃ及び前部脚連結桁１２ａと後部脚連結桁１２ｂとの間に配置された補助桁によって形成される平面上に配置される。座面１３の前端側は左右方向に略直線状に形成され、座面１３の後端側は後方に向けて凸曲線状に形成されている。座面１３は硬板の上にクッション材を取り付けた構造から構成され、硬板には一部に孔が形成されていて、座面１３に座った者はその臀部の一部がクッション材を介してこの孔に係止されることによって、所謂床ずれが防がれている。
【００５６】
肘掛け１４は、座面１３の上方の左右両側に配置されている。即ち、左側の肘掛け１４は左側の前後に配置された脚１２の上方間に前後方向に水平に配置されると共に後部側の脚１２の上端に垂直軸回りに回転自在に取り付けられている。右側の肘掛け１４は右側の前後に配置された脚１２の上方間に前後方向に水平に配置されると共に後部側の脚１２の上端に垂直軸回りに回動自在に取り付けられている。
【００５７】
左右の肘掛け１４の内側には左右の体幹保持盤１６の外面側１６ｂの一部が一体的に連結されていて、左右の肘掛け１４を後部側の脚１２を中心として回動させることによって、左右の体幹保持盤１６を回動させて、座面１３に座った者の左右の体幹側部ａを保持させることができるようになっている。
【００５８】
左右の肘掛け１４の前端側は丸みを帯びて前部側の脚１２より少し前方に張り出しおり、左右の肘掛け１４の後部側は内側に向けて曲線状に形成され後端側は丸みを帯びて後部側の脚１２より少し後方に張り出している。また、左右の肘掛け１４の内側面は平面視において凹曲状に形成されていて、左右の肘掛け１４の内側に設置される左右の体幹保持盤１６の外に向けて凸曲状に形成された外面側１６ｂの形状に対応するようになっている。
【００５９】
背もたれ１５は、座面１３の後端側から後方に向けて傾斜して配置され、前記したように上部脚連結１２ｄにネジなどにより固定されている。背もたれ１５は平面視において前方に向けて凹曲状に形成され、座面１３は座った者の背中と当接する硬板の前面側にクッション材を取り付けた構造から構成されている。
【００６０】
体幹保持盤１６は、椅子に座った者の両脇下側となる左右の体幹側部ａを保持して、椅子に座った者の体幹が椅子内で傾いたり、捻れたり、前屈みになったりするのを防ぎ、またこれらに起因して前方に傾いて椅子から落ちるのを防ぐと共に、姿勢が悪くなるのを防ぎ、一定時間快適に椅子に座らせる機能を果たすもので、左右の肘掛け１４の内側に一体的に連結されて座面１３の上方の左右両側に設置されている。
【００６１】
左右の肘掛け１４に一体的に連結された左右の体幹保持盤１６は、体幹側部ａと当接する内面側１６ａが平面視において内側に向けて凹曲状に形成されていて、丸みを帯びた左右の体幹側部ａの形状に対応して外側から包むように挟んで保持できる構造になっている。また、左右の体幹保持盤１６は内面側１６ａが内側に向けて凹曲状に形成されていることによって、体幹が左右に傾いたり捻れたりするのを防ぐことができるのは勿論、体幹が前屈みになるのを防ぐことも可能となる。
【００６２】
左右の体幹保持盤１６は、硬板と、硬板の内面側に配置されたクッション材から構成されている。硬板によって体幹保持盤１６が体幹からの荷重によって変形するのが防がれる。また、クッション材は体幹側部ａと当接する内面側１６ａに位置していて、左右の体幹保持盤１６の内面側１６ａが柔軟な弾力をもって体幹側部ａを保持できるようになっている。
【００６３】
左右の体幹保持盤１６は脇の下側を例えば高さ２５ｃｍ〜３０ｃｍの範囲で保持できるように、左右の体幹保持盤１６の高さは例えば高さ２５ｃｍ〜３０ｃｍ程度になっている。また、左右の体幹保持盤１６の上辺は、脇の下に対応する個所が下向きに凹曲状に窪んでいて、脇の下が体幹保持盤１６の上辺に当たるのが回避されている。
【００６４】
左右の体幹保持盤１６の後端側は背もたれ１５の左右両端側に蝶番１６ｃによって内側に向けて回動自在に連結されている。蝶番１６ｃはそれぞれ片側に上下に２個取り付けられている。
【００６５】
体幹保持盤作動機構１７は、左右の肘掛け１４に連結された左右の体幹保持盤１６を体幹保持解除位置と体幹保持位置でロックする機構で、左右の肘掛け１４の下面に左右の体幹保持盤１６の外面側１６ｂに向けて取り付けられ、後部側の左右の脚１２の上端に取り付けられた回動支持軸１７ａ、回動盤１７ｄ、スライド作動杆１７ｈ、作動索状１７ｋ、巻取軸１７ｍ、操作レバー１７ｎなどから主に構成されている。
【００６６】
回動支持軸１７ａは後部側の左右の脚１２の上端にそれぞれ取り付けられている。回動支持軸１７ａは円盤状の形状をしており、円盤状の側周面の一部には等間隔で複数の係合溝１７ｂが形成されている。また回動支持軸１７ａの側周面にストッパー突起１７ｃが突出して形成されている。
【００６７】
一方、この回動支持軸１７ａの外周には円形リング状の回動盤１７ｄが嵌合されている。回動盤１７ｄは円盤状の回動支持軸１７ａの外周を回動するもので、肘掛け１４の後部側の下面に下向きに取り付けられている。回動盤１７ｄの側周面の一部にはストッパー溝１７ｅが一定の角度で形成されており、このストッパー溝１７ｅには上記ストッパー突起１７ｃが係合していて、ストッパー突起１７ｃがこのストッパー溝１７ｅ内で回動できる範囲が回動盤１７ｄの回動範囲となる。
【００６８】
回動盤１７ｄの前方に向く側周面にはガイド盤１７ｆが一体的に突出形成されている。ガイド盤１７ｆには前後方向に向けてガイド孔１７ｇが形成され、ガイド孔１７ｇの内部側は幅が広くなっていて、回動支持軸１７ａの側周面に形成された前記の一部の係合溝１７ｂに面している。
【００６９】
ガイド孔１７ｇにはスライド作動杆１７ｈがスライド移動自在に取り付けられている。スライド作動杆１７ｈの前端側は回動支持軸１７ａの側周面に形成された複数の係合溝１７ｂの一つに挿入して係合する構造になっている。また、スライド作動杆１７ｈの前部側には係合溝１７ｂに係合する方向にスライド作動杆１７ｈを常時付勢するバネ１７ｉが取り付けられている。
【００７０】
スライド作動杆１７ｈの後端には連結孔１７ｊが形成されており、この連結孔１７ｊにはワイヤーなどからなる作動索状１７ｋの一端が連結されている。作動索状１７ｋの他端側は、その前方側の肘掛け１４の下面に取り付けられた巻取軸１７ｍに巻かれている。
【００７１】
巻取軸１７ｍには、肘掛け１４の側方に設けられた操作レバー１７ｎの回転軸が同軸状態に連結されていて、操作レバー１７ｎが回動するとこれと一体となって巻取軸１７ｍは回転する構造になっている。
【００７２】
この実施の形態では操作レバー１７ｎが上向きに回動すると巻取軸１７ｍは作動索状１７ｋを巻き取る方向に回転し、作動索状１７ｋが巻取軸１７ｍ側に引っ張られて移動すると、作動索状１７ｋが連結されたスライド作動杆１７ｈはその前端側が係合溝１７ｂから抜けて、ロック解除状態になる構造になっている。
操作レバー１７ｎが逆に下向きに回動するのを防ぐために、操作レバー１７ｎの端部にはストッパー１７ｐが肘掛け１４の下面に向けて突出して形成されている。
【００７３】
次に、上記発明の実施の形態の構成に基づく体幹保持機能付き椅子の動作について以下説明する。
病人、老人、障害者、健常者などが体幹保持機能付き椅子１１に座った後、左右の肘掛け１４の側方に取り付けられた体幹保持盤作動機構１７の操作レバー１７ｎを手で掴んで、上向きに回動させる。なお、健常者は自分の手で操作できるが、病人、老人、障害者、子供など自分の力では無理な場合には介添え者や保護者などが操作する。
【００７４】
操作レバー１７ｎを上向きに回動させると、操作レバー１７ｎに連結された同軸の巻取軸１７ｍが作動索状１７ｋを巻き取る方向に回転する。これにより作動索状１７ｋは巻取軸１７ｍ側に向けて引っ張られて移動し、作動索状１７ｋの一端が連結されたスライド作動杆１７ｈをバネ１７ｉの付勢力に打ち勝って巻取軸１７ｍ側に向けて移動させる。
【００７５】
スライド作動杆１７ｈが巻取軸１７ｍに向けて移動すると、回動支持軸１７ａの側周面に形成された複数の係合溝１７ｂの一つに係合されていたスライド作動杆１７ｈの前端側は係合溝１７ｂから抜け出て、ロック状態が解除される。
【００７６】
このロック解除状態で、左右の肘掛け１４を回動支持軸１７ａを中心として、左右の体幹保持盤１６を体幹側部ａに向けて回動させ、左右の体幹保持盤１６が左右の体幹側部ａを保持する体幹保持位置まできた時点で、操作レバー１７ｎを離す。操作レバー１７ｎを離すと、バネ１７ｉの付勢力により、スライド作動杆１７ｈの前端側が係合溝１７ｂの一つに挿入して係合されることにより、再びロック状態となる。
【００７７】
また、スライド作動杆１７ｈが係合溝１７ｂ側に移動することにより、作動索状１７ｋは巻き戻されて回動支持軸１７ａ側に移動する。作動索状１７ｋが巻き戻されることによって巻取軸１７ｍは逆回転し、巻取軸１７ｍと同軸の操作レバー１７ｎは下向きに回動し、操作レバー１７ｎのストッパー１７ｐが肘掛け１４の下面に当接して操作レバー１７ｎの下向きへの回動は停止される。
【００７８】
このようにして、体幹保持機能付き椅子１１に座った者は、背中側が背もたれ１５によって保持され、左右の体幹側部ａが左右の体幹保持盤１６によって保持されることになる。左右の体幹側部ａを保持する体幹保持盤１６は体幹保持位置で体幹保持盤作動機構１７によってロックされる。
【００７９】
これにより、体幹保持機能付き椅子１１に座った者は、体幹が椅子内で傾いたり、捻れたり、前屈みになったりするのが防がれる。つまり、病人、老人、障害者のように自分の姿勢を維持出来ない者は、背もたれ１５と左右の体幹保持盤１６によって体幹が保持されるため、一定時間快適に椅子に座ることが可能となる。
【００８０】
また、健常者にあっても、背もたれ１５と左右の体幹保持盤１６によって体幹が保持されるため、姿勢が悪くなるのが防がれ、又体幹が保持されているために体幹を支えることによる疲労がなく、体幹保持機能付き椅子１１に座って長時間の作業も可能となるなど、一定時間快適に椅子に座ることができる。
【００８１】
左右の体幹保持盤６による体幹保持位置を解除して元に戻す場合には、前記同様に操作レバー１７ｎを上向きに回動させてロック状態を解除して、左右の肘掛け１４を回動支持軸１７ａを中心として開く方向に回動させることで体幹保持解除位置に戻り、この体幹保持機能付き椅子１１に座っていた者はこの椅子から離れることができる。
【００８２】
なお、この発明は上記発明の実施の形態に限定されるものではなく、この発明の精神を逸脱しない範囲で種々の改変をなし得ることは勿論である。前記実施の形態では肘掛けが設けられている場合で説明したが、肘掛けが設けられていない椅子にも適用できるのは勿論である。
【００８３】
【発明の効果】
以上の記載より明らかなように、この発明に係る体幹保持機能付き椅子によれば、病人、老人、障害者のように自分の姿勢を維持出来ない者は、背もたれと左右の体幹保持盤によって体幹が保持されるため、体幹が椅子内で傾いたり、捻れたり、前屈みになったりするのが防がれ、またこれらに起因して前方に傾いて椅子から落ちるのが防がれて、一定時間快適に椅子に座ることが可能となる。
また、健常者にあっても、背もたれと左右の体幹保持盤によって体幹が保持されるため、姿勢が悪くなるのが防がれ、又体幹が保持されているために体幹を支えることによる疲労がなく、体幹保持機能付き椅子に座って長時間の作業も可能となるなど、一定時間快適に椅子に座ることができる等、極めて新規的有益なる効果を奏するものである。
【図面の簡単な説明】
【図１】この発明の実施の形態−１を示す体幹保持機能付き椅子の正面図である。
【図２】この発明の実施の形態−１を示す体幹保持機能付き椅子の側面図である。
【図３】この発明の実施の形態−１を示す体幹保持機能付き椅子の平面図である。
【図４】この発明の実施の形態−１を示す体幹保持機能付き椅子の背面図である。
【図５】この発明の実施の形態−１を示す体幹保持盤と背もたれとの連結部分の部分拡大図である。
【図６】この発明の実施の形態−１を示す体幹保持盤作動機構の底面図である。
【図７】この発明の実施の形態−１を示す体幹保持盤作動機構の正面図である。
【図８】この発明の実施の形態−１の他例を示す体幹保持盤作動機構の正面図である。
【図９】この発明の実施の形態−２を示す体幹保持機能付き椅子の正面図である。
【図１０】この発明の実施の形態−２を示す体幹保持機能付き椅子の側面図である。
【図１１】この発明の実施の形態−２を示す体幹保持機能付き椅子の平面図である。
【図１２】この発明の実施の形態−２を示す体幹保持機能付き椅子の背面図である。
【図１３】この発明の実施の形態−２を示す体幹保持盤作動機構の底断面図である。
【符号の説明】
１    体幹保持機能付き椅子
２    脚
２ａ  前部脚連結桁
２ｂ  後部脚連結桁
２ｃ  側部脚連結桁
２ｄ  上部脚連結
２ｅ  スライド脚
２ｆ  調節撮み
３    座面
４    肘掛け
５    背もたれ
６    体幹保持盤
６ａ  内面側
６ｂ  外面側
６ｃ  蝶番
６ｄ  連結具
７    体幹保持盤作動機構
７ａ  取付盤
７ｂ  貫通孔
７ｃ  貫通孔
７ｄ  調整盤
７ｅ  ガイド盤
７ｆ  ガイド孔
７ｇ  スライド押圧杆
７ｈ  押圧片
７ｉ  操作レバー
７ｊ  作動リンク
７ｋ  リンク
７ｍ  側板
１１    体幹保持機能付き椅子
１２    脚
１２ａ  前部脚連結桁
１２ｂ  後部脚連結桁
１２ｃ  側部脚連結桁
１２ｄ  上部脚連結
１３    座面
１４    肘掛け
１５    背もたれ
１６    体幹保持盤
１６ａ  内面側
１６ｂ  外面側
１６ｃ  蝶番
１７    体幹保持盤作動機構
１７ａ  回動支持軸
１７ｂ  係合溝
１７ｃ  ストッパー突起
１７ｄ  回動盤
１７ｅ  ストッパー溝
１７ｆ  ガイド盤
１７ｇ  ガイド孔
１７ｈ  スライド作動杆
１７ｉ  バネ
１７ｊ  連結孔
１７ｋ  作動索状
１７ｍ  巻取軸
１７ｎ  操作レバー
１７ｐ  ストッパー
ａ    体幹側部
【図１】
2004275579.tif 000003
【図２】
2004275579.tif 000004
【図３】
2004275579.tif 000005
【図４】
2004275579.tif 000006
【図５】
2004275579.tif 000007
【図６】
2004275579.tif 000008
【図７】
2004275579.tif 000009
【図８】
2004275579.tif 000010
【図９】
2004275579.tif 000011
【図１０】
2004275579.tif 000012
【図１１】
2004275579.tif 000013
【図１２】
2004275579.tif 000014
【図１３】
2004275579.tif 000015